(57)【要約】【課題】二つの床部材を接合して防水床を構築するにあたり、接合部の防水性に優れ、且つ、現場での寸法変更に容易に対処し得る構造を提供する。【解決手段】二つの防水床部材１，２のうち下側の防水床部材２に洗い場領域と浴槽設置領域とを区画する谷部１０へ向かう排水勾配と、谷部１０と平行な排水口３へ向かう排水勾配とを付与する。下側の防水床部材２の端縁上面に平坦な受載部２０を形成し、この受載部２０上に他方の防水床部材１を重ね合わせ、ネジｔで両者を固定すると共に接合面をシール部材Ｓでシールする。下側の防水床部材２には排水勾配が設けられているから、上側の防水床部材１にも同様の排水勾配が付与され、接合部Ｊに水が浸入しにくくなり、高いシール性能を発揮する。下側防水床部材２の受載部２０は平坦であるから重ね合わせ量の調整代を大きくとることができ、現場における防水床Ｆの幅寸法変更が容易である。【選択図】      図１
2006063659.tif 000002
【特許請求の範囲】
【請求項１】
二つの防水床部材を接合して防水床を構築するための構造であって、一方の防水床部材の上面に形成した平坦な受載部の上に、他方の防水床部材の端部が重ね合わされると共に、両者間にシール構造が形成され、少なくとも前記重ね合わせ領域には、上側に位置する防水床部材から下側に位置する防水床部材へ向かって下り勾配となる方向の排水勾配が設けられていることを特徴とする防水床構造。
【請求項２】
前記重ね合わせ領域において上側に位置する防水床部材の端縁部又は端縁部近傍に垂下部が形成され、当該垂下部が下側に位置する防水床部材の前記受載部に当接され、両者間にシール構造が形成されている請求項１に記載する防水床構造。
【請求項３】
前記重ね合わせ領域において下側に位置する防水床部材の端縁部又は端縁部近傍に、上側に位置する防水床部材の裏面へ向かう起立部が形成されている請求項２に記載する防水床構造。
【請求項４】
二つの防水床部材を接合して防水床を構築するための構造であって、一方の防水床部材の端縁部又は端縁部近傍に上方へ突出する起立段部が形成され、該起立段部の上面に形成した平坦な受載部の上に、他方の防水床部材が重ね合わされると共に、両者間にシール構造が形成されていることを特徴とする防水床構造。
【請求項５】
前記重ね合わせ領域において上側に位置する防水床部材の端縁部又は端縁部近傍に垂下部が形成され、当該垂下部が下側に位置する防水床部材の上面に当接されると共に、両者間にシール構造が形成されている請求項４に記載する防水床構造。
【請求項６】
少なくとも前記重ね合わせ領域に、上側に位置する防水床部材から下側に位置する防水床部材へ向かって下り勾配となる方向の排水勾配が設けられている請求項４又は５に記載する防水床構造。
【請求項７】
請求項１乃至６のいずれかに記載する防水床構造を用いて構成された防水床であって、下側に位置する防水床部材に谷部が形成され、当該谷部によって、前記重ね合わせ領域を含む部分と、下側の防水床部材のみの部分とに区画され、前記谷部の近傍で且つ下側の防水床部材における一方の側縁近傍に排水口が設けられ、前記谷部によって区画された各部分それぞれは、前記排水口へ向かって下り勾配となる排水勾配を有していることを特徴とする防水床。
【発明の詳細な説明】
【技術分野】
【０００１】
本発明は、二つの床部材を接合してなる防水床の構造に関し、接合部の防水性に優れ、且つ、現場での寸法変更に容易に対処し得る構造を提供するものである。
【背景技術】
【０００２】
複数の床部材を接合して防水床を構築する技術は例えば特許文献１に記載されている。この種の防水床における床部材どうしの接合部分は、図５に示すような構造が従来採用されている。すなわち、一方の床部材３０の端縁部に、一段低く形成した接合段部３０を設け、この接合段部３１上に、もう一方の床部材３２の端縁部を重ね合わせ、ボルト・ナット、ねじ、接着剤等で両者を固定すると共に、両者間を適宜のシール部材Ｓでシールするというものである。
【特許文献１】特開平９−３１６９５２号公報
【発明の開示】
【発明が解決しようとする課題】
【０００３】
前記従来の防水床構造は、一方の床部材３２の端縁部３２ａが、他方の床部材３０の接合段部３１における起立面３１ａに当接したならば、それ以上、重ね合わせ量を増やすことができない。つまり、防水床の幅寸法をあまり縮小できないため、施工現場の設置可能寸法が小さかった場合に対処するのが難しいという問題がある。また、床部材３０，３２どうしの重ね合わせは一段低く形成した接合段部３１においてなされているから、この部分に水が停留したり浸透したりする可能性があり、水密性に対する信頼性が低い。
【課題を解決するための手段】
【０００４】
本発明が、二つの防水床部材を接合して防水床を構築するための構造において、前記従来の問題点を解決するために採用した手段の特徴は、請求項１に記載する如く、一方の防水床部材の上面に形成した平坦な受載部の上に、他方の防水床部材の端部を重ね合せると共に、両者間にシール構造を形成し、少なくとも前記重ね合わせ領域に、上側に位置する防水床部材から下側に位置する防水床部材へ向かって下り勾配となる方向の排水勾配を設けたことである。
【０００５】
前記防水床構造にあっては、請求項２に記載の如く、前記重ね合わせ領域において上側に位置する防水床部材の端縁部又は端縁部近傍に垂下部を形成し、当該垂下部が下側に位置する防水床部材の前記受載部に当接させ、両者間にシール構造を形成することが可能である。
【０００６】
さらに前記防水床構造にあっては、請求項３に記載の如く、前記重ね合わせ領域において下側に位置する防水床部材の端縁部又は端縁部近傍に、上側に位置する防水床部材の裏面へ向かう起立部を形成することが可能である。
【０００７】
本発明は、二つの防水床部材を接合して防水床を構築する構造の異なる態様を提供するものでもあり、その特徴とするところは、請求項４に記載する如く、一方の防水床部材の端縁部又は端縁部近傍に上方へ突出する起立段部を形成し、該起立段部の上面に形成した平坦な受載部の上に、他方の防水床部材を重ね合わせると共に、両者間にシール構造を形成したことである。
【０００８】
前記防水床構造にあっては、請求項５に記載の如く、前記重ね合わせ領域において上側に位置する防水床部材の端縁部又は端縁部近傍に垂下部を形成し、当該垂下部を下側に位置する防水床部材の上面に当接させると共に、両者間にシール構造を形成することができる。
【０００９】
さらに前記防水床構造にあっては、請求項６に記載の如く、少なくとも前記重ね合わせ領域に、上側に位置する防水床部材から下側に位置する防水床部材へ向かって下り勾配となる方向の排水勾配を設けることが望ましい。
【００１０】
なお本発明は、前述の防水床構造を用いて構成した防水床を提供するものであり、その特徴とするところは、請求項７に記載する如く、下側に位置する防水床部材に谷部が形成され、当該谷部によって、前記重ね合わせ領域を含む部分と、下側の防水床部材のみの部分とに区画され、前記谷部の近傍で且つ下側の防水床部材における一方の側縁近傍に排水口が設けられ、前記谷部によって区画された各部分それぞれは、前記排水口へに向かって下り勾配となる排水勾配を有していることである。
【発明の効果】
【００１１】
請求項１に記載の防水床構造によれば、一方の防水床部材の上面に形成した平坦な受載部の上に他方の防水床部材の端部を重ね合わせるので、重ね合わせ量の調節幅が大きく、従って、設置する防水床の大きい寸法変更にも容易に対処できる。また、重ね合わせ領域に、上側に位置する防水床部材から下側に位置する防水床部材へ向かって下り勾配となる方向の排水勾配を設けたので、シール性能を損なうことなく、防水床部材の重ね合わせ量を変更して、防水床の寸法変更を行うことができる。
【００１２】
請求項２に記載の防水床構造によれば、前記重ね合わせ領域において上側に位置する防水床部材の端縁部又は端縁部近傍に垂下部を形成することにより、当該部分の剛性が向上するので、変形が生じにくくなり、シール性が確実になる。
【００１３】
請求項３に記載の防水床構造によれば、前記重ね合わせ領域において下側に位置する防水床部材の端縁部又は端縁部近傍に形成した起立部が、重ね合わせ領域に浸入した水を堰き止めるから、防水床裏面への水の漏出をより確実に防止できる。
【００１４】
請求項４に記載の防水床構造によれば、一方の防水床部材に上方へ突出する起立段部を形成し、該起立段部の上面に形成した平坦な受載部の上に、他方の防水床部材を重ね合わせるので、防水床部材どうしの接合面の位置が、下側の防水床部材の主要部よりも高い位置になる。従って、水が重ね合わせ領域に浸入したり漏出したりしにくくなるから、シール性能が向上する。
【００１５】
請求項５に記載の防水床構造によれば、上側に位置する防水床部材の端縁部又は端縁部近傍に形成した垂下部を下側に位置する防水床部材の上面に当接させるので、垂下部形成による剛性向上と共に、シール部分が二箇所になることにより、シール性能が一層確実になる。
【００１６】
請求項６に記載の防水床構造によれば、少なくとも前記重ね合わせ領域に排水勾配を設けるので、漏水防止効果が向上する。
【００１７】
請求項７に記載の防水床は、下側に位置する防水床部材に形成した谷部によって区画された各部分それぞれに、前記排水口に向かって下り勾配となる排水勾配を持たせるので、防水床上に落ちた水を確実に排水口へ導くことができる。
【発明を実施するための最良の形態】
【００１８】
［防水床について］
図１に、本発明を、浴室の床部を構築するのに用いられる防水床Ｆに適用した一例を掲げる。この防水床Ｆは二つの防水床部材１，２から構成される。各防水床部材１，２は、ボルト・ナット等の組み合わせ等よりなる高さ調節脚５で高さ調節可能に支持される架台４上に載設されている。あるいは、防水床部材１，２と架台４とは一体形成される場合もある。上記二つの防水床部材１，２を、端縁部を重ね合わせて接合することにより上記防水床Ｆが構成されるが、その接合部Ｊの構造については後述する。
【００１９】
本例では、上側になる防水床部材１で浴室の洗い場の一部を構成し、下側になる防水床部材２で、洗い場の残りの部分と浴槽の設置部とを構成する用に設定されている。さらに本例では、下側となる防水床部材２に、洗い場領域と浴槽設置領域とを区画する境界部分が谷部１０となるような排水勾配を設けた。すなわち、図１（Ｂ）に示すように、洗い場領域及び浴槽設置領域がいずれも谷部１０に向かって下り勾配となる緩斜面に形成され、全体としてごく緩やかなＶ字形となっている。また、下側の防水床部材２には、谷部１０の近傍であって且つ一方の側縁近傍に排水口３が形成されている。図示する例では、洗い場用と浴槽用の排水口３を２個形成し、両者を親子トラップで連接する構造を採用してある。
【００２０】
上に述べたように、下側の防水床部材２自体には、谷部１０へ向かう排水勾配、つまり図１（Ａ）において矢印で示すＸ方向の排水勾配が設けられているが、防水床Ｆの設置にあたっては、さらに谷部１０と平行な方向の排水勾配、つまり図１（Ａ）において矢印で示すＹ方向の排水口３へ向かう排水勾配を付与することが望ましい。このＹ方向の排水勾配は、架台４を支える高さ調節脚５の高さ調節をすることによって設けることが可能である。上記Ｘ方向の排水勾配と、Ｙ方向の排水勾配とを与えることにより、防水床Ｆには両者を合成したＺ方向の排水勾配が設けられるから、防水床Ｆ上に落下した水を確実に排水口３へ導くことが可能である。
【００２１】
［防水床部材の接合構造について］
本発明では、防水床Ｆを構成する２つの防水床部材１，２の接合手段として、図２〜４に示すような構造の接合部Ｊを採用した。図２（Ａ）に示すように、重ね合わされる二つの防水床部材１，２のうち、下側の防水床部材２における端縁の上面に平坦な受載部２０を形成し、この受載部２０上に他方の防水床部材１の端部を重ね合わせ、ネジｔやボルト・ナット等で両者を固定すると共に、接合面を適宜のシール部材Ｓでシールする。
【００２２】
前述したように、下側の防水床部材２には前記谷部１０へ向かう方向の排水勾配が設けられているから、重ね合わせた上側の防水床部材１にも同様の排水勾配が付与される。それ故、接合部Ｊに水が浸入しにくくなり、万一、水が浸入したとしても、防水床Ｆの裏面側へ漏出する可能性は低くなる。つまり、高いシール性能を発揮する。また、上側の防水床部材１を重ね合わせる下側防水床部材２の受載部２０は平坦であるから、重ね合わせ量の調整代（図１参照）を大きくとることができる。従って、現場における防水床Ｆの設置可能寸法が設計寸法より小さい場合でも、幅寸法を縮小して容易に対処することが可能である。しかも本発明では、重ね合わせ寸法を増減させても、接合部Ｊの排水勾配が維持される構造なので、防水床Ｆの寸法変更は、シール性能に悪影響を及ぼさない。
【００２３】
図２（Ｂ）に示す如く、上側の防水床部材１における端縁に垂下部１ａを形成し、この垂下部１ａの下端を、下側の防水床部材２の受載部２０に当接させ、両者間をシール部材Ｓでシールする構造を採用することも可能である。かかる接合部Ｊの構造は、上側の防水床部材１における端縁の剛性が向上するから、防水床Ｆに荷重が加わったときに変形が生じにくくなり、よってシール性能の確保が容易である。なお、垂下部１ａを形成する位置は、防水床部材１の端縁に限らず、端縁近傍であってもよい。
【００２４】
図２（Ｃ）に示す如く、上記に加え、下側の防水床部材２における端縁に起立部２ａを形成する構造を採用することも可能である。かかる構造によれば、万一、接合部Ｊを水が通過したとしても、上記起立部２ａでその水を堰き止めるから、防水床Ｆ外部への漏水防止が確実になる。なお、起立部２ａを形成する位置は、防水床部材２の端縁近傍としてもよい。
【００２５】
図３（Ａ）は、下側の防水床部材２の端縁又は端縁近傍に上方へ突出する起立段部２ｂを形成し、該起立段部２ｂの上面に形成した平坦な受載部２０の上に、上側となる防水床部材１を重ね合わせてネジｔ等で固定すると共に、両者間をシール部材Ｓでシールしたものである。かかる接合部Ｊの構造によれば、防水床部材１，２の接合面の位置が、下側の防水床部材２の主要面部より高い位置になる。つまり、起立段部２ｂｃが堤防の機能を果たすから、水が接合部Ｊに浸入しにくくなるという効果を発揮する。なお起立段部２ｂの構造は、図３（Ａ）のように防水床部材２を折曲形成したごときものでも、同図（Ｂ）のように防水床部材２の端縁部の厚みを変えたものであってもよい。
【００２６】
上記の形態に加え、図４（Ａ）に示す如く、上側の防水床部材１における端縁に垂下部１ａを形成し、この垂下部１ａの下端を下側の防水床部材２に当接させ、両者間をシール部材Ｓでシールする構造を採用することも可能である。かかる構造は、接合部Ｊのシール箇所が２つになるから、シール性が向上する。勿論、上側防水床部材１における端縁の剛性が向上することによる変形防止効果も併せて得られる。なお起立段部２ｂの構造は、前記と同様、図３（Ｂ）の如く、防水床部材２の端縁部の厚みを変えて形成することが可能である。
【図面の簡単な説明】
【００２７】
【図１】本発明に係る防水床の一例を示すものであり、図（Ａ）は平面図、図（Ｂ）は正面断面図である。
【図２】本発明に係る防水床における防水床部材の接合部構造を示すものであり、図（Ａ）〜（Ｃ）はそれぞれ異なる態様を示す要部の断面図である。
【図３】本発明に係る防水床における防水床部材の接合部構造の他の例を示すものであり、図（Ａ）（Ｂ）はそれぞれ異なる態様を示す要部の断面図である。
【図４】本発明に係る防水床における防水床部材の接合部構造のさらに他の例を示すものであり、図（Ａ）（Ｂ）はそれぞれ異なる態様を示す要部の断面図である。
【図５】従来の防水床における防水床部材の接合構造を示す要部の断面図である。
【符号の説明】
【００２８】
Ｆ…防水床  Ｊ…接合部  Ｓ…シール部材  １…防水床部材（上側）  １ａ…垂下部  ２…防水床部材（下側）  ２ａ…起立部  ２ｂ…起立段部  ３…排水口  ４…架台  ５…高さ調節脚  １０…谷部  ２０…受載部
【図１】
2006063659.tif 000003
【図２】
2006063659.tif 000004
【図３】
2006063659.tif 000005
【図４】
2006063659.tif 000006
【図５】
2006063659.tif 000007